(57)【要約】【課題】催眠術者がいなくとも、かつ、特別な訓練等を受けなくとも、比較的容易に催眠をかけられることができる催眠装置および催眠方法を提供することである。【解決手段】被催眠者の注意を視覚刺激により一定個所に集中させる集注画像を提供する集注画像提供手段を備えており、集注画像提供手段は、中央部においてよりも周辺部において相対的に動きの激しい画像を提供するように構成されている。集注した被催眠者に暗示メッセージを与える暗示メッセージ画像を提供する暗示メッセージ提供手段を更に備えており、暗示メッセージ提供手段は、左半分に暗示メッセージを表示した画像を提供するように構成されている。【選択図】  図１
2005000465.tif 000002
【特許請求の範囲】
【請求項１】
被催眠者の注意を視覚刺激により一定個所に集中させる集注画像を提供する集注画像提供手段を備えており、前記集注画像提供手段が、中央部においてよりも周辺部において相対的に動きの激しい画像を提供するように構成されていることを特徴とする催眠装置。
【請求項２】
前記集注画像が録画媒体に録画されていることを特徴とする請求項１に記載の催眠装置。
【請求項３】
集注した被催眠者に暗示メッセージを与える暗示メッセージ画像を提供する暗示メッセージ提供手段を更に備えており、前記暗示メッセージ提供手段が、左半分に暗示メッセージを表示した画像を提供するように構成されていることを特徴とする請求項１又は２に記載の催眠装置。
【請求項４】
前記暗示メッセージ画像に、短い時間連続的に被催眠者を視覚的に刺激する閾下刺激画像が組み込まれていることを特徴とする請求項３に記載の催眠装置。
【請求項５】
前記暗示メッセージ画像に、被催眠者に聴覚刺激を与える音情報が組み込まれていることを特徴とする請求項３又は４に記載の催眠装置。
【請求項６】
前記暗示メッセージ画像が録画媒体に録画されていることを特徴とする請求項３から５までのいずれか１項に記載の催眠装置。
【請求項７】
請求項１から６までのいずれか１項に記載の催眠装置を用いて、被催眠者を催眠状態に導くことを特徴とする催眠方法。
【発明の詳細な説明】
【０００１】
【発明の属する技術分野】
本発明は一般に、催眠装置および催眠方法に関する。より詳細には、本発明は、催眠術者がいなくとも、かつ、特別な訓練等を受けなくとも、比較的容易に催眠をかけることができる催眠装置および催眠方法に関する。
【０００２】
【従来の技術】
催眠術は、一般的に、暗示を与えて催眠状態に導く催眠術者と催眠状態に導かれる被催眠者の両者によって行われる、いわゆる他者催眠か、或いは、被催眠者が催眠術者にもなる、いわゆる自己催眠のいずれかによって行われるものである。すなわち、いずれの方法においても、被催眠者を閉眼させ或いは被催眠者が自ら閉眼して視覚刺激を遮断し、言語による聴覚刺激でトランス状態（意識が一点に集中した状態）に導くものである。
【０００３】
【発明が解決しようとする課題】
しかしながら、前者の方法では、催眠術者が必要となるため、手間がかかるとともに、被催眠者の所望の場所と時間で催眠をかけることが難しいという課題がある。一方、後者の方法では、特別な訓練や集中力が必要となるため、誰でもが手軽に催眠をかけられるのが難しいという課題がある。
【０００４】
したがって、本発明は、催眠術者がいなくとも、かつ、特別な訓練等を受けなくとも、比較的容易に催眠をかけられることができる催眠装置および催眠方法を提供することを目的としている。
【０００５】
【課題を解決するための手段】
本願請求項１に記載の催眠装置は、被催眠者の注意を視覚刺激により一定個所に集中させる集注画像を提供する集注画像提供手段を備えており、前記集注画像提供手段が、中央部においてよりも周辺部において相対的に動きの激しい画像を提供するように構成されていることを特徴とするものである。
【０００６】
本願請求項２に記載の催眠装置は、前記請求項１の催眠装置において、前記集注画像が録画媒体に録画されていることを特徴とするものである。
【０００７】
本願請求項３に記載の催眠装置は、前記請求項１又は２の催眠装置において、集注した被催眠者に暗示メッセージを与える暗示メッセージ画像を提供する暗示メッセージ提供手段を更に備えており、前記暗示メッセージ提供手段が、左半分に暗示メッセージを表示した画像を提供するように構成されていることを特徴とするものである。
【０００８】
本願請求項４に記載の催眠装置は、前記請求項３の催眠装置において、前記暗示メッセージ画像に、短い時間連続的に被催眠者を視覚的に刺激する閾下刺激画像が組み込まれていることを特徴とするものである。
【０００９】
本願請求項５に記載の催眠装置は、前記請求項３又は４の催眠装置において、前記暗示メッセージ画像に、被催眠者に聴覚刺激を与える音情報が組み込まれていることを特徴とするものである。
【００１０】
本願請求項６に記載の催眠装置は、前記請求項３から５までのいずれか１項の催眠装置において、前記暗示メッセージ画像が録画媒体に録画されていることを特徴とするものである。
【００１１】
本願請求項７に記載の催眠方法は、前記請求項１から６までのいずれか１項に記載の催眠装置を用いて、被催眠者を催眠状態に導くことを特徴とするものである。
【００１２】
【発明の実施の形態】
次に、本発明の好ましい実施の形態に係る催眠装置は、被催眠者の注意を視覚刺激により一定個所に集中させる画像（以下「集注画像」という）を提供する集注画像提供手段を備えている。
【００１３】
集注画像提供手段は、中央部においてよりも周辺部において相対的に動きの激しい画像を提供するように構成されている。ここで、「中央部においてよりも周辺部において相対的に動きの激しい画像」とは、例えば、自動車に乗って道路上を走行する際に、自動車の前方（進行方向）に表れる画像（画像の周辺部が後方に飛び去っていくように見える）、自動車内に進行方向に対して後ろ向きに座って道路上を走行する際に、自動車の後方（進行方向と反対方向）に表れる画像（画像の周辺部が中央部に吸い込まれていくように見える）の他、多数の物体が中心部に向かって連続的に吸い込まれるスクリーン・セーバーに類似した画像（図１（ａ）参照）や、多数の物体が中心部から周辺部に連続的に飛び去るスクリーン・セーバーに類似した画像（図１（ｂ）参照）でもよい。被催眠者が集注画像を見ることにより、被催眠者は、トランス状態に導かれる。
【００１４】
集注画像提供手段は、具体的には、集注画像が録画された録画媒体（例えば、ＣＤ、ＤＶＤ、ビデオテープなど）である。集注画像提供手段は、録画媒体がＣＤやＤＶＤの場合には、中央演算処理ユニット（ＣＰＵ）、記憶装置、及び表示装置を少なくとも備えたコンピュータと画像を表示させるためのアプリケーション・ソフトウェアを用いることによって集注画像が表示され、録画媒体がビデオテープの場合にはテープ再生装置を用いることによって集注画像が表示される。録画媒体は、ＣＤ、ＤＶＤ、ビデオテープ以外の公知の形式の媒体を使用してもよく、また、画像を表示させるためのアプリケーション・ソフトウェアは、公知の市販のものを使用してよい。
【００１５】
また、本発明の好ましい実施の形態に係る催眠装置は、集注した被催眠者に暗示メッセージを提供する暗示メッセージ提供手段を備えている。
【００１６】
暗示メッセージ提供手段は、図２に示されるように、画面の左半分に暗示メッセージを表示するように構成されている。ここで、「暗示メッセージ」には、「眠くなる」、「リラックスしている」、「重くなる」等の言語的内容の他、任意の記号を用いる記号的内容も含まれる。
【００１７】
集注画像を見ることによりトランス状態に置かれている被催眠者が、暗示メッセージ提供手段により表示される画面の左半分の暗示メッセージを見ることにより、暗示メッセージの内容が潜在意識に受容される。
【００１８】
なお、暗示メッセージが記号的内容の場合には、図３に示されるように、画面の左半分にある暗示メッセージは、左右の眼の右側網膜に結像され、視覚伝導路を通って、専ら感覚的・視覚的処理を司る右脳に直接伝達されるので、暗示が無意識のうちに受容される。一方、暗示メッセージが言語的内容の場合には、言語中枢が左脳にあるため、右脳に伝達された信号が一旦左脳に伝達された後に右脳に戻されて、暗示内容が受容されることになる。
【００１９】
暗示メッセージ提供手段も、具体的には、集注画像提供手段と同様に、暗示メッセージが画面の左半分に表示された画像（以下「暗示メッセージ画像」という）が録画された録画媒体（例えば、ＣＤ、ＤＶＤ、ビデオテープなど）である。暗示メッセージ提供手段は、録画媒体がＣＤやＤＶＤの場合には、中央演算処理ユニット（ＣＰＵ）、記憶装置、及び表示装置を少なくとも備えたコンピュータと画像を表示させるためのアプリケーション・ソフトウェアを用いることによって画像が表示され、録画媒体がビデオテープの場合にはテープ再生装置を用いることによって画像が表示される。録画媒体は、ＣＤ、ＤＶＤ、ビデオテープ以外の公知の形式の媒体を使用してもよく、また、画像を表示させるためのアプリケーション・ソフトウェアは、公知の市販のものを使用してよい。
【００２０】
なお、暗示メッセージ画像に、閾下刺激画像を組み込んでもよい。ここで、「閾下刺激画像」とは、被催眠者が意識できない程度の短い時間（例えば、３０ミリ秒間）連続的に表示して被催眠者を視覚的に刺激する画像をいう。被催眠者に暗示をかける場合に、暗示メッセージを意識的に理解することができると、暗示に抵抗することがあるが、閾下刺激画像は、刺激されたことを被催眠者が意識することがないので、被催眠者が暗示メッセージを受け入れ易いようにするのに有効である。
【００２１】
また、暗示メッセージ画像に、被催眠者に聴覚刺激を与える音情報を組み込んでもよい。「音情報」としては、例えば、「眠くなる」、「リラックスしている」、「重くなる」、「熱くなる」等の言語的内容の他、単調なドライブ音や、風切り音などがあげられる。
【００２２】
以上のように構成された催眠装置を用いて、被催眠者を催眠状態に導く催眠方法について説明する。まず、被催眠者に、集注画像を見させて、トランス状態に導く。次いで、被催眠者に、暗示メッセージ画像を見させて、暗示内容を受容させる。その際、閾下刺激画像を組み込んだ暗示メッセージ画像を用いてもよく、音情報を併用して、暗示内容を受容させてもよい。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【００２４】
【発明の効果】
本発明の装置および方法は、視覚刺激を遮断してトランス状態に導いて暗示内容を受容させる従来の方法と比較して、視覚刺激により直接トランス状態に導くため、催眠術者がいなくとも、また、特別な訓練を受けていなくとも、比較的容易に暗示内容を受容させることができる。
【図面の簡単な説明】
【図１】集注画像を例示した図である。
【図２】暗示メッセージ画像を例示した図である。
【図３】脳の上方から見た視覚伝導路を示した模式図である。
【図１】
2005000465.tif 000003
【図２】
2005000465.tif 000004
【図３】
2005000465.tif 000005